(57)【要約】【課題】  構成の簡略化を図りつつ、オーバーフロー管の閉塞を防止する。【解決手段】  ガス管１の途中に設置されてガスを遮断する水封弁である。水封弁を構成する水封部２に水を供給する給水管８ａと、水封部２の底部に接続された排水管７ａと、この排水管７ａが底部に接続されたシールポット５を備える。シールポット５は、頂部が水封時の水封部２の水位よりも上方に位置すると共に、排水管７ａの接続位置と頂部間には、ガス輸送時のガス圧力に相当する水ヘッドが得られる位置に第１のシールポットドレン管１１ａを、水封時の水封部２の水位に第２のシールポットドレン管１１ｂを設ける。【効果】  ガス輸送時、シールポット内の水に溶解したガス中のダストが、オーバーフロー管を閉塞させることが無い。また、水封時、ガス圧力が変動しても、ガス管内を輸送されるガスが噴出することも無い。【選択図】  図１
2007002918.tif 000002
【特許請求の範囲】
【請求項１】
ガス輸送配管の途中に設置されてガスを遮断する水封弁であって、
前記水封弁を構成する水封部に水を供給する給水管と、
前記水封部の底部に接続された排水管と、
この排水管が底部に接続されたシールポットを備え、
前記シールポットは、
頂部が水封時の水封部の水位よりも上方に位置すると共に、
前記排水管の接続位置と頂部間には、ガス輸送時のガス圧力に相当する水ヘッドが得られる位置に第１のシールポットドレン管を、水封時の水封部の水位に第２のシールポットドレン管を設けたことを特徴とするガス遮断水封弁。
【請求項２】
前記排水管に前記給水管を兼ねさせたことを特徴とする請求項１に記載のガス遮断水封弁。
【発明の詳細な説明】
【技術分野】
【０００１】
本発明は、ガス輸送の途中でガスを遮断するために、ガス輸送配管（以下、ガス管と略す。）の途中に設置されるガス遮断水封弁に関するものである。
【背景技術】
【０００２】
鉄鋼業では、高炉ガス、転炉ガスなどの有用な燃料ガスが発生する。従って、この燃料ガスを有効活用するために、ガス発生工場、ガスホルダー、ガス使用工場間を大径のガス管で繋いで輸送している。
【０００３】
このようなガス輸送の途中でガスを遮断する場合のために、ガス管の途中に、例えば図２に示すような水封弁が設置されている。そして、この水封弁では、給水弁３ｂを開いて給水管３ａからガス管１の途中に設置した水封部２に水を供給することで、ガス管１の途中を水封してガスを遮断する。
【０００４】
この水封部２に溜まった水は、一定の水位に達すると、オーバーフロー下降管４ａから流出してシールポット５内に溜まり、さらに、シールポットドレン管６ａを経てピットに排出される。なお、図２中の７ａは水封解除時に、水封部２に溜まっている水を抜くための配水管であり、その途中に排水弁７ｂが設けられている。
【０００５】
しかしながら、図２に示した構成の水封弁では、水封部２の両側それぞれにオーバーフロー下降管４ａ、シールポット５、シールポットドレン管６ａが設けられていたため、複雑な設備構成となっていた。そこで、構成の簡略化のために、排水管７ａとオーバーフロー下降管４ａを一体にした水封弁が特許文献１で開示されている。
【特許文献１】実開昭５２−１２８１１５号公報
【０００６】
この特許文献１で開示された水封弁を図３に示す。この水封弁は、水封部２の底面に設けた排水管７ａにシールポット５を接続し、このシールポット５の上端にオーバーフロー管４ｂとシールポットドレン管６ａを立設したものである。
【０００７】
しかしながら、前記の構成では、図３（ａ）に示したガス輸送時、シールポット５内の水に溶解したガス中のダストが、オーバーフロー管４ｂの水面Ａで外気と接触して酸化し、オーバーフロー管４ｂを閉塞させるという問題があった。
【０００８】
そこで、特許文献１では、給水弁３ｂの上流から、途中に給水弁８ｂを設けた給水管８ａを分岐してシールポット５に接続させている。このような構成により、図３（ｂ）に示した水封の前に、排水弁７ａ及びドレン弁６ｂを閉め、給水弁８ｂを開いてオーバーフロー管４ｂからの溢水を目視で確認することで、オーバーフロー管４ｂの閉塞の有無を点検できるようにしている。
【発明の開示】
【発明が解決しようとする課題】
【０００９】
しかしながら、この特許文献１で開示された水封弁は、オーバーフロー管の閉塞の有無を点検できるだけで、オーバーフロー管の閉塞を防止できるものではない。
【００１０】
本発明が解決しようとする課題は、以下の点であり、これらを同時に解決させることを目的とする。
１）図２に示した一般的なガス遮断水封弁では、オーバーフロー下降管の詰まりは発生しないものの、水封時にガス圧の変動で、オーバーフロー下降管に水が流入して、ガスがシールポットから流出する可能性があること。
２）図３に示したガス遮断水封弁では、水封時のガス流出は発生しないものの、オーバーフロー管に詰まりが発生すること。
【課題を解決するための手段】
【００１１】
本発明のガス遮断水封弁は、
構成の簡略化を図りつつ、ガス漏れとオーバーフロー管の閉塞を発生させないようにするために、
ガス管の途中に設置されてガスを遮断する水封弁であって、
前記水封弁を構成する水封部に水を供給する給水管と、
前記水封部の底部に接続された排水管と、
この排水管が底部に接続されたシールポットを備え、
前記シールポットは、
頂部が水封時の水封部の水位よりも上方に位置すると共に、
前記排水管の接続位置と頂部間には、ガス輸送時のガス圧力に相当する水ヘッドが得られる位置に第１のシールポットドレン管を、水封時の水封部の水位に第２のシールポットドレン管を設けたことを最も主要な特徴としている。
【００１２】
かかる本発明の水封弁では、従来の水封弁では必要不可欠であったオーバーフロー下降管やオーバーフロー管を無くしたので、水封時のガス漏れや、ガス輸送時、シールポット内の水に溶解したガス中のダストが、オーバーフロー管を閉塞させることが無い。
【００１３】
本発明の水封弁において、前記排水管に前記給水管を兼ねさせた場合には、さらなる構成の簡略化が図れる。
【発明の効果】
【００１４】
本発明の水封弁では、オーバーフロー管を無くして大径のシールポットに兼ねさせたので、ガス輸送時、ガス中のダストがオーバーフロー管を閉塞させることが無い。また、オーバーフロー下降管を無くしたので、水封時、ガス圧力が変動しても、水封部の水位の変動によって、オーバーフロー下降管内のガスが噴出することも無い。
【発明を実施するための最良の形態】
【００１５】
以下、本発明を実施するための最良の形態について、図１を用いて説明する。
図１は本発明の水封弁の一例を示す図で、その頂部が水封時の水封部２の水位よりも上方に位置するように、シールポット５を縦置き状態に設置し、その底部に、水封部２の底部に接続された排水管７ａを接続している。
【００１６】
そして、シールポット５における前記排水管７ａの接続位置と頂部間には、ガス輸送時のガス圧力に相当する水ヘッドが得られる位置に第１のシールポットドレン管１１ａを設けている。また、水封時の水封部２の水位には、第２のシールポットドレン管１１ｂを設けている。
【００１７】
すなわち、本発明では、シールポット５を縦置き状態に設置して、従来の水封装置にあったオーバーフロー管を径の大きいシールポット５に兼ねさせている。このようにすることで、図３に示した特許文献１で開示された水封弁よりもさらに構成の簡略化を図っている。
【００１８】
加えて、給水弁８ｂが閉、排水弁７ｂとドレン弁１２が開の図１（ａ）に示すガス輸送時、ガス中のドレンがシールポット５内に流れ込んで、シールポット５内に対流が発生するので、シールポット５を閉塞させることがなくなる。
【００１９】
また、水封時（本発明では、排水弁７ｂが開で、ドレン弁１２が閉の図１（ｂ）に示す状態）にガス圧力が変動した場合、図２に示した水封弁では、二次側（図２の紙面左側）の水位が高くなって二次側のオーバーフロー下降管４ａに水が流入し、オーバーフロー下降管４ａ内のガスがシールポット５から噴出する場合がある。
【００２０】
しかしながら、本発明では、オーバーフロー管を兼ねるシールポット５は、排水管７ａを介して水封部２の底部と繋がっているので、水封時にガス圧力が変動しても、ガスがシールポット５内に流入することが無く、ガス漏れが発生しない。
【００２１】
上記の例は単なる一例であり、本発明は上記の例に限らず、各請求項に記載された技術的思想の範囲内で、適宜実施の形態を変更しても良いことは言うまでもない。
【００２２】
例えば、図１に示した例では、従来の水封弁と同様、給水管３ａを別途設けているが、排水管７ａに給水管３ａを兼ねさせるようにすれば、さらに構成部品が少なくなって構成の簡略化が図れる。また、水封部２の形状は、水を溜めてガスを遮断できる形状であれば、Ｖ字型やＵ字型に限らないなどである。
【産業上の利用可能性】
【００２３】
本発明の水封弁は、高炉ガス、転炉ガスを輸送するガス管だけでなく、あらゆるガス輸送用の配管を遮断するものにも適用できる。
【図面の簡単な説明】
【００２４】
【図１】本発明の水封弁の一例を説明する図で、（ａ）はガス輸送時、（ｂ）は水封時を示す図である。
【図２】従来の水封弁を説明する図である。
【図３】特許文献１で開示された水封弁を説明する図で、（ａ）はガス輸送時、（ｂ）は水封時を示す図である。
【符号の説明】
【００２５】
１    ガス管
２    水封部
３ａ    給水管
３ｂ    給水弁
５    シールポット
７ａ    排水管
７ｂ    排水弁
８ａ    給水管
８ｂ    給水弁
１１ａ    第１のシールポットドレン管
１１ｂ    第２のシールポットドレン管
１２    ドレン弁
【図１】
2007002918.tif 000003
【図２】
2007002918.tif 000004
【図３】
2007002918.tif 000005